(57)【特許請求の範囲】
【請求項１】
矩形状商品を積層して収納し、その積層された最下段の商品から搬出機構によって一個ずつ送出するようにした自動販売機の直積ラックであって、積層された商品を複数列収納可能な大きさを有し、断面コ字状で上端部を折り曲げた補強部を有するラック側板、および該ラック側板内を商品の積層列ごとに仕切るとともに隣接する商品の積層列間の間隙を埋める仕切板により一面が開放した複数個の収納部を形成し、該収納部の開放面に商品の飛び出しを防止するようにした飛び出し防止部材と、を備えたものにおいて、前記仕切板を、該仕切板の両端に位置する２枚の板材により形成し、該２枚の板材を開放面側が自由端として揺動する可動仕切板として形成したことを特徴とする自動販売機の直積ラック。
【請求項２】
請求項１記載の自動販売機の直積ラックにおいて、２枚の可動仕切板は、ラック側板の補強部に穿孔した係合穴と前記２枚の可動仕切板の下部に配設した固定仕切板の上面に穿孔した係合穴とに係合する上下にカールした突起、および自由端側にコ字状の切り込みを有することを特徴とする自動販売機の直積ラック。
【請求項３】
請求項１記載の自動販売機の直積ラックにおいて、収納部の開放面に設け商品の飛び出しを防止するようにした飛び出し防止部材は、ラック側板の側端部を収納部側に略直角に折り曲げて形成したことを特徴とする自動販売機の直積ラック。
【発明の詳細な説明】
【０００１】
【発明の属する技術分野】
この発明は、積層方向の上下面が略平行な、例えばペーパーパック商品等を直積みして収納する自動販売機の直積ラックに関する。
【０００２】
【従来の技術】
図３は従来例の構成を示し、（ａ）は直積ラックの外観図、（ｂ）は（ａ）の直積ラックの半分を上から見たＢ矢視図を示す。この図３において、１は断面がコ字状で縦長に形成されたラック側板、２はラック側板１内を仕切る仕切部、３はラック側板１と仕切部２とで三方を囲われた商品４の収納部、５は収納部４の前面を開閉可能に覆い、商品の飛び出し防止部材の役目をするラック扉を示す。
【０００３】
図において、ラック側板１と仕切部２とで三方を囲われた商品４の収納部３は前面にラック扉５がラック側板１にヒンジ取付けされており、商品４を補給する際は、前記ラック扉５を開放して人手で下から順次積み上げて収納する。商品４の補給が終了した後は前記ラック扉５を閉鎖する。前記ラック扉５は商品４の飛び出しを防止する飛び出し防止部材の役目をしている。仕切部２は、収納部３に積層される商品４を最下段のものから一個ずつ送出する搬出機構の寸法によって隣接する商品の積層列間の間隙を埋めるものである。
【０００４】
【発明が解決しようとする課題】
ところで、従来の構成では収納部を構成するために、ラック側板、および仕切部、ラック扉が使われており、部品点数が多くコスト高になる問題がある。
また、商品を補給する際にラック扉を開放するために扉前面にデッドスペースが必要になり、その分自動販売機の厚さを厚くする問題がある。
【０００５】
この発明は上記課題を解決するためになされたもので、その目的とするところは、部品点数を少なくしてコストを逓減するとともに、デッドスペースを少なくする自動販売機の直積ラックを提供することにある。
【０００６】
【課題を解決するための手段】
上記課題を解決するために請求項１記載の発明は、矩形状商品を積層して収納し、その積層された最下段の商品から搬出機構によって一個ずつ送出するようにした自動販売機の直積ラックであって、積層された商品を複数列収納可能な大きさを有し、断面コ字状で上端部を折り曲げた補強部を有するラック側板、および該ラック側板内を商品の積層列ごとに仕切るとともに隣接する商品の積層列間の間隙を埋める仕切板により一面が開放した複数個の収納部を形成し、該収納部の開放面に商品の飛び出しを防止するようにした飛び出し防止部材と、を備えたものにおいて、前記仕切板を、該仕切板の両端に位置する２枚の板材により形成し、該２枚の板材を開放面側が自由端として揺動する可動仕切板として形成したことを特徴とする。
【０００７】
すなわち、請求項１記載の発明は、従来、仕切部が隣接する商品の積層列間の間隙を埋めるために比較的大きな横幅寸法を有しているが、その仕切部の間隙がデッドスペースとなっていた点に着目し、前記仕切部を２枚の可動仕切板に置き換え、その可動仕切板の自由端側を揺動させて収納部の開放面を大きく開くことにより商品を補給するスペースを確保するものである。
【０００８】
２枚の可動仕切板を常時においては固定しておくため請求項２記載のように２枚の可動仕切板は、ラック側板の補強部に穿孔した係合穴と前記２枚の可動仕切板の下部に配設した固定仕切板の上面に穿孔した係合穴とに係合する上下にカールした突起、および自由端側にコ字状の切り込みを備えるように構成するのが良い。
【０００９】
上記構成により収納部に商品を補給する際は、コ字状の切り込み部がＬ形部材の水平部を交わす位置まで可動仕切板を持ち上げて収納部の開放面が広がる方向に開くことにより商品を挿入する空間を確保することが可能になる。
また、請求項３記載の発明のように、請求項１記載の自動販売機の直積ラックにおいて、収納部の開放面に設け商品の飛び出しを防止するようにした飛び出し防止部材は、ラック側板の側端部を収納部側に略直角に折り曲げて形成することができる。
【００１０】
上記請求項３の構成によりラック側板の側端部の折り曲げ部は、商品の飛び出しを防止する飛び出し防止部材として使用することが可能になる。
【００１１】
【発明の実施の形態】
図１は請求項１および請求項２の発明の一実施例の主要部の構成を示し、（ａ）は直積ラックの外観図、（ｂ）は（ａ）の直積ラックの半分を上から見たＡ矢視図を示す。
また、図２は図１（ａ）の仕切板の拡大斜視図を示す。この図１以降において、従来例と同一の符号を付けた部材はおおよそ同一の機能を有するのでその説明は省略する。図１、図２において、１は断面がコ字状で縦長に形成されたラック側板、１ａはラック側板上部の補強部に穿孔された係合穴、１ｂはラック側板１の側端部を収納部３０側に略直角に折り曲げて形成した、商品の飛び出しを防止する飛び出し防止部材、２０はラック側板１内を仕切る可動仕切板、２０ａは可動仕切板２０の上下にカールして突出した突起、２０ｂは可動仕切板２０の側端のコ字状の切り欠き、２１は可動仕切板２０の下部の固定仕切板、２１ａは固定仕切板２１に穿孔された、可動仕切板２０の下側の突起２０ａが係合する係合穴、２１ｂは固定仕切板２１の上面に設けられた可動仕切板２０の収納部側への開きを防止する開き防止板、３０はラック側板１と可動仕切板２０とで三方を囲われた商品４の収納部、６０は可動仕切板２０間の間隔を保つＬ字形部材を示す。
【００１２】
図において、ラック側板１と可動仕切板２０とで三方を囲われた、商品４の収納部３０は、前面にラック側板１の側端部を収納部３０側に略直角に折り曲げて形成した、商品の飛び出しを防止する飛び出し防止部材１ｂが設けられている。２枚の可動仕切板２０は間隔を開けてそれぞれ、ラック側板１の上部の補強部に穿孔された係合穴１ａと、固定仕切板２１の上面に穿孔された係合穴２１ａとに突起２０ａを係合させて配接されており、固定仕切板２１の上面に設けられた開き防止板２１ｂで可動仕切板２０が収納部３０側に開くのを防止し、２枚の可動仕切板２０の間に折り曲げられた先端部分が嵌まり込むように配接されたＬ字形部材６０で収納部３０の開放面が広がる方向に開くのを防止して、商品４の補給時等開放面を広げる必要がある場合以外は前記可動仕切板２０はＬ字形部材６０と開き防止板２１ｂとの間に保持されている。
【００１３】
上記の構成による直積ラックに商品４を補給する際は、前記可動仕切板２０を上方に持ち上げてコ字状の切り欠き２０ｂがＬ字形部材６０の先端水平部分をかわして可動仕切板２０が回動可能な位置まで移動させてから、収納部３０の開放面が広がる方向に可動仕切板２０を回動させて、その広げられた開放面から人手で商品４を順次積み上げて収納する。商品４の補給が終了した後は前述と逆の手順で可動仕切板２０を元の位置に戻す。
【００１４】
上記の構成ではラック側板１の側端部を収納部３０側に略直角に折り曲げて商品の飛び出しを防止する飛び出し防止部材１ｂを形成したが、ラック側板１の側端部を折り曲げる代わりに可動仕切板２０の側端部を収納部３０側に略直角に折り曲げて商品の飛び出しを防止する飛び出し防止部材を形成しても良い。
【００１５】
【発明の効果】
この発明によれば、隣接する商品の積層列間の間隙を利用して商品の補給を行うことができるのでデッドスペースを有効に利用することが可能になり、ラック側板の側端部の折り曲げ部と、可動仕切板とでラック扉の機能を補うことにより、その分コストを逓減する効果がある。また、商品を補給する際にラック扉を開放するためのスペースが不要になり、その分この直積ラックを装着した自動販売機の奥行き方向の寸法を短縮する効果がある。
【図面の簡単な説明】
【図１】請求項１および請求項２の発明の一実施例の主要部の構成を示し、（ａ）は直積ラックの外観図、（ｂ）は（ａ）の直積ラックの半分を上から見たＡ矢視図
【図２】図１（ａ）の仕切板の拡大斜視図
【図３】従来例の構成を示し、（ａ）は直積ラックの外観図、（ｂ）は（ａ）の直積ラックの半分を上から見たＢ矢視図
【符号の説明】
１        ラック側板
１ａ        係合穴
１ｂ        飛び出し防止部材
２０          可動仕切板
２０ａ        突起
２０ｂ        切り欠き
２１          固定仕切板
２１ａ        係合穴
２１ｂ        開き防止板
３０          収納部
６０          Ｌ字形部材
【図１】
0003580053.tif 000002
【図２】
0003580053.tif 000003
【図３】
0003580053.tif 000004